(57)【特許請求の範囲】
【請求項１】
受信した電子メールが予め定められたキーワードを含む優先メールであるか否かを判定する電子メール種別判定手段と、
受信した電子メールが優先メールであると判定されたときに優先メールの着信通知を表すアイコンを表示して待機し、受信した電子メールが優先メールでないと判定されたときに通常の電子メールの着信通知を表示する表示手段と、
受信した電子メールを記憶する記憶手段と、
ユーザからの指示が入力される入力手段と、
優先メールの着信通知を表す前記アイコンに対する操作が行われることによって、入力手段に電子メールの一覧を表示する旨の指示が入力されたときに、記憶手段に記憶される電子メールの中から、未だ本文が表示されていない優先メールを検索する優先メール検索手段とを備え、
表示手段は、優先メールの着信通知を表す前記アイコンに対する操作が行われることによって、入力手段に電子メールの一覧を表示する旨の指示が入力されたときに、優先メール検索手段によって検索された優先メールの一覧を表示する
ことを特徴とする携帯電話機。
【請求項２】
携帯電話機に着信した電子メールの情報を表示する電子メール情報表示方法であって、
携帯電話機の電子メール種別判定手段が、受信した電子メールが予め定められたキーワードを含む優先メールであるか否かを判定し、
携帯電話機の表示手段が、受信した電子メールが優先メールであると判定されたときに優先メールの着信通知を表すアイコンを表示して待機し、受信した電子メールが優先メールでないと判定されたときに通常の電子メールの着信通知を表示し、
携帯電話機の優先メール検索手段が、優先メールの着信通知を表す前記アイコンに対する操作が行われることによって、電子メールの一覧を表示する旨の指示が入力されたときに、受信した電子メールを記憶する記憶手段に記憶される電子メールの中から、未だ本文が表示されていない優先メールを検索し、
携帯電話機の表示手段が、優先メールの着信通知を表す前記アイコンに対する操作が行われることによって、電子メールの一覧を表示する旨の指示が入力されたときに、優先メール検索手段によって検索された優先メールの一覧を表示する
ことを特徴とする電子メール情報表示方法。
【請求項３】
携帯電話機に、
受信した電子メールが予め定められたキーワードを含む優先メールであるか否かを判定する電子メール種別判定処理、
受信した電子メールが優先メールであると判定されたときに優先メールの着信通知を表すアイコンを表示して待機し、受信した電子メールが優先メールでないと判定されたときに通常の電子メールの着信通知を表示する表示処理、
優先メールの着信通知を表す前記アイコンに対する操作が行われることによって、電子メールの一覧を表示する旨の指示が入力されたときに、受信した電子メールを記憶する記憶手段に記憶される電子メールの中から、未だ本文が表示されていない優先メールを検索する優先メール検索処理、および
優先メールの着信通知を表す前記アイコンに対する操作が行われることによって、電子メールの一覧を表示する旨の指示が入力されたときに、優先メール検索処理で検索された優先メールの一覧を表示する一覧表示処理
を実行させるための電子メール情報表示プログラム。
【発明の詳細な説明】
【技術分野】
【０００１】
本発明は、携帯電話機、電子メール情報表示方法および電子メール情報表示プログラムに関し、特に、電子メール機能を有する携帯電話機、並びにそのような携帯電話機に適用される電子メール情報表示方法および電子メール情報表示プログラムに関する。
【背景技術】
【０００２】
電子メール機能（電子メールの送受信機能）を有する携帯電話機が普及している。そのような携帯電話機は、電子メールを受信すると、電子メールの受信をユーザ（携帯電話機のユーザ）に通知する。図７は、従来の携帯電話機における電子メール受信通知時の表示画面の変化の例を示す説明図である。図７（ａ）は、電子メールを受信していないときに携帯電話機が表示する表示画面の例を示す。図７（ａ）に示すように、電子メールを受信していないときに、携帯電話機は表示画面内に電子メールに関する情報を表示しない。図７（ａ）に示す例では、電波の受信状態を示す図形および日時を示す情報が表示され、電子メールに関する情報は表示されていない。
【０００３】
図７（ｂ）は、電子メールを受信中に携帯電話機が表示する表示画面の例を示す。図７（ｂ）では、携帯電話機によって「メール受信中」というメッセージが表示された場合を例示している。また、図７（ｂ）に示す例では、電波の受信状態を示す図形も表示されている。携帯電話機は、電子メールを受信した後、例えば、電子メールの受信完了を示す電子メール着信音を、予めユーザに指定された時間、スピーカから出力する。電子メール着信音を出力中にその着信音を停止させる操作が行われた場合、あるいは、電子メール着信音の出力停止後に電子メールの本文を表示させる操作が行われなかった場合、携帯電話機は、新たに電子メールを受信したことをディスプレイ装置に表示する。
【０００４】
図７（ｃ）は、新たに電子メールを受信したこと（新たに着信した電子メールが存在すること）を携帯電話機が表示する表示画面の例を示す。図７（ｃ）では、新たに電子メールを受信したことを示す情報として、封筒の図形のアイコンおよび「新着メール」という文字の組み合わせが表示されている。また、図７（ａ）に示す場合と同様に、電波の受信状態を示す図形および日時を示す情報も表示されている。
【０００５】
ユーザによって、受信した電子メールを表示する操作が行われると、携帯電話機はその電子メールの件名や本文を表示する。また、件名や本文の表示が行われていない電子メールが複数件存在する場合、携帯電話機は、ユーザの操作に従って、そのような複数の電子メールの件名や本文を一件ずつ表示する。
【０００６】
また、特許文献１には、受信したメールの種別を判別し、メールの種別が送達確認を示すもの（他人への配信を確認するための配信確認のメール）である場合、ディスプレイ装置の表示を変える携帯電話機が記載されている。
【０００７】
また、特許文献２には、受信メールの題名および本文中に特定コードと一致する言葉があるか否かを解析し、一致する言葉があった場合には既に定められている鳴音設定に従った鳴音時間を確定する携帯電話機が記載されている。
【０００８】
【特許文献１】特開２００１−１６３６４号公報（段落０００５，００１６）
【特許文献２】特開２００４−３４９７４６号公報（段落００３０）
【発明の開示】
【発明が解決しようとする課題】
【０００９】
近年、パーソナルコンピュータ（以下、ＰＣと記す。）向けの電子メールを携帯電話機に転送するように設定するユーザが増えている。このような設定をした場合、携帯電話機には、様々な種類の電子メールが転送される。このとき、既に説明したように、携帯電話機がユーザの操作に従って、件名や本文の表示が行われていない複数の電子メールを一件ずつ表示すると、以下のような問題が生じる。
【００１０】
携帯電話機のユーザは、複数の電子メールを一件ずつ表示させる操作を行っていかなければならない。そのため、送信者によって緊急の電子メールあるいは重要な電子メールとして送信された電子メールを受信していたとしても、そのような電子メールの内容を表示させ、ユーザがその内容を確認するまでに時間がかかってしまうという問題がある。
【００１１】
また、ＰＣ向けの電子メールも携帯電話機に転送されるため、携帯電話機が多くの電子メールを受信することになり、緊急の電子メールあるいは重要な電子メールが優先度の低い多数の電子メールに埋もれてしまう。すなわち、緊急の電子メールあるいは重要な電子メールをユーザが探し出してその電子メールを表示する操作を行わなければならないが、優先度の低い電子メールが多数存在しているために、直ちに閲覧すべき電子メールを判別しにくくなり、ユーザはそのような電子メールを閲覧する機会を失ってしまったり、あるいはユーザが直ちにそのような電子メールを閲覧しようとしても、電子メールを探すのに時間がかかってしまい、直ちに閲覧することができなかった。
【００１２】
そこで、本発明は、ユーザが優先的に閲覧すべき電子メールをユーザがすぐに閲覧できるようにする携帯電話機、電子メール情報表示方法および電子メール情報表示プログラムを提供することを目的とする。
【課題を解決するための手段】
【００１３】
本発明による携帯電話機は、受信した電子メールが予め定められたキーワードを含む優先メールであるか否かを判定する電子メール種別判定手段と、受信した電子メールが優先メールであると判定されたときに優先メールの着信通知を表すアイコンを表示して待機し、受信した電子メールが優先メールでないと判定されたときに通常の電子メールの着信通知を表示する表示手段と、受信した電子メールを記憶する記憶手段と、ユーザからの指示が入力される入力手段と、優先メールの着信通知を表す前記アイコンに対する操作が行われることによって、入力手段に電子メールの一覧を表示する旨の指示が入力されたときに、記憶手段に記憶される電子メールの中から、未だ本文が表示されていない優先メールを検索する優先メール検索手段とを備え、表示手段が、優先メールの着信通知を表す前記アイコンに対する操作が行われることによって、入力手段に電子メールの一覧を表示する旨の指示が入力されたときに、優先メール検索手段によって検索された優先メールの一覧を表示することを特徴とする。
【００１４】
そのような構成によれば、ユーザによる優先メールの閲覧を促進することができる。
【００１５】
また、本発明による電子メール情報表示方法は、携帯電話機に着信した電子メールの情報を表示する電子メール情報表示方法であって、携帯電話機の電子メール種別判定手段が、受信した電子メールが予め定められたキーワードを含む優先メールであるか否かを判定し、携帯電話機の表示手段が、受信した電子メールが優先メールであると判定されたときに優先メールの着信通知を表すアイコンを表示して待機し、受信した電子メールが優先メールでないと判定されたときに通常の電子メールの着信通知を表示し、携帯電話機の優先メール検索手段が、優先メールの着信通知を表す前記アイコンに対する操作が行われることによって、電子メールの一覧を表示する旨の指示が入力されたときに、受信した電子メールを記憶する記憶手段に記憶される電子メールの中から、未だ本文が表示されていない優先メールを検索し、携帯電話機の表示手段が、優先メールの着信通知を表す前記アイコンに対する操作が行われることによって、電子メールの一覧を表示する旨の指示が入力されたときに、優先メール検索手段によって検索された優先メールの一覧を表示することを特徴とする。
【００１６】
そのような方法によれば、ユーザによる優先メールの閲覧を促進することができる。
【００１７】
また、本発明による電子メール情報表示プログラムは、携帯電話機に、受信した電子メールが予め定められたキーワードを含む優先メールであるか否かを判定する電子メール種別判定処理、受信した電子メールが優先メールであると判定されたときに優先メールの着信通知を表すアイコンを表示して待機し、受信した電子メールが優先メールでないと判定されたときに通常の電子メールの着信通知を表示する表示処理、優先メールの着信通知を表す前記アイコンに対する操作が行われることによって、電子メールの一覧を表示する旨の指示が入力されたときに、受信した電子メールを記憶する記憶手段に記憶される電子メールの中から、未だ本文が表示されていない優先メールを検索する優先メール検索処理、および優先メールの着信通知を表す前記アイコンに対する操作が行われることによって、電子メールの一覧を表示する旨の指示が入力されたときに、優先メール検索処理で検索された優先メールの一覧を表示する一覧表示処理を実行させることを特徴とする。
【発明の効果】
【００１９】
本発明によれば、ユーザが優先的に閲覧すべき電子メールをユーザがすぐに閲覧することができる。
【発明を実施するための最良の形態】
【００２０】
以下、本発明の実施の形態を図面を参照して説明する。
図１は、本発明による携帯電話機の構成例を示すブロック図である。図１に示すように、本発明による携帯電話機１０は、例えば、キー操作部１０１と、無線系回路１０２と、ディスプレイ装置１０３と、制御系回路１０４と、記憶回路１０５と、音声系回路１０６と、マイクロホン１０７と、スピーカ１０８と、時計回路１０９とを備える。
【００２１】
キー操作部１０１は複数のキーを有し、携帯電話機１０のユーザ（以下、単にユーザと記す。）から各種情報が入力される。例えば、キー操作部１０１には、電子メールに記載する内容やユーザから携帯電話機への指示等の各種情報が入力される。
【００２２】
無線系回路１０２は、データの送受信を行う。無線系回路１０２は、変調データを受信すると、その変調データを制御系回路１０４に出力する。また、無線系回路１０２は、制御系回路１０４から変調データが入力されると、その変調データを送信する。
【００２３】
ディスプレイ装置１０３は、制御系回路１０４の制御に従って、画像を表示する。例えば、新たに電子メールを受信したことを示す情報（電子メールの着信通知）、受信した電子メールの一覧、電子メールの内容（電子メールの本文、件名、メールアドレス等）、各種設定画面等を表示する。ここに挙げた表示項目は、例示であり、他の事項が表示されてもよい。
【００２４】
制御系回路１０４は、例えば記憶回路１０５に記憶されるプログラムに従って、携帯電話機１０全体を制御する。また、制御系回路１０４は、キー操作部１０１を介して入力されるユーザからの指示に応じて動作する。制御系回路１０４は、無線系回路１０２が受信した変調データの復調や、無線系回路１０２を介して送信するデータの変調を行う。なお、ここで変調されたデータは、無線系回路１０２によって送信される。また、制御系回路１０４は、ディスプレイ装置１０３に画像を表示させる処理、音声系回路１０６を介した音（例えば電子メールの着信音や受話音声等）の出力、記憶回路１０５に対するデータ（例えば電子メール）の書き込みや記憶装置１０５からのデータの読み込みを行う。
【００２５】
制御系回路１０４は、例えば、プログラム（電子メール情報表示プログラム）に従って動作するＣＰＵによって実現される。
【００２６】
記憶回路１０５は、各種データ（例えば電子メール）や、制御系回路１０４に処理を実行させるためのプログラムを記憶する。
【００２７】
音声系回路１０６は、マイクロホン１０７から音声信号が入力され、音声信号を制御系回路１０４に出力する。また、音声系回路１０６は、制御系回路１０４から入力される音声信号に応じて、スピーカ１０８から音声（受話音声）を出力させる。また、音声系回路１０６は、制御系回路１０４に従ってスピーカ１０８から電子メールの着信音等を出力させる。マイクロホン１０７は、ユーザの音声を音声信号に変換し、音声信号を音声系回路１０６に出力する。スピーカ１０８は、音声系回路１０６が出力する音声信号に応じて音声（受話音声）や電子メールの着信音等を出力する。時計回路１０９は、時刻の情報を制御系回路１０４に出力する。制御系回路１０４は、その時刻の情報にもとづいて、時刻をディスプレイ装置１０３に表示させる。
【００２８】
携帯電話機１０が網から電子メールを受信する場合、無線系回路１０２が網から変調データを受信し、その変調データを制御系回路１０４に出力する。制御系回路１０４は、変調データを復調し、復調によって得られた電子メールのデータを記憶回路１０５に記憶させる。また、制御系回路１０４は、電子メールを受信したことを示す着信音を、音声系回路１０６を介してスピーカ１０８から出力させる。また、制御系回路１０４は、新たにメールを受信したことを示す情報（電子メールの着信通知）をディスプレイ装置１０３に表示させる。ユーザは、ディスプレイ装置１０３に表示されるガイダンス（情報）に応じて、キー操作部１０１を操作することによって受信した電子メールを読むことができる。
【００２９】
ただし、携帯電話機１０は、予め定められた特定の語句（以下、特定キーワードと記す。）を含む電子メール（以下、優先メールと記す。）を受信した旨の通知を、他の電子メールを受信した旨の通知と区別して表示するか否かの設定が行われる。優先メールを受信した旨の情報（優先メールの着信通知）を、他の電子メールを受信した旨の情報（通常の電子メールの着信通知）と区別して表示する設定を、以下、優先表示設定と記す。
【００３０】
優先表示設定が予め行われている場合、制御系回路１０４は、優先メールの着信通知を、通常の電子メール（すなわち優先メール以外の電子メール）の着信通知とは異なる表示態様で表示する。また、優先表示設定が行われていて、ユーザが電子メールの一覧を表示させる操作を行ったときに、制御系回路１０４は、未読の優先メールの一覧のみをディスプレイ装置１０３に表示させる。なお、未読とは、電子メールの本文が未だ表示されていないことを意味する。また、電子メールの本文が既に表示済みであることを既読と記す。
【００３１】
また、優先表示設定が行われていない場合、制御系回路１０４は、優先メールの着信通知を、通常の電子メールの着信通知と同じ表示態様で表示する。また、優先表示設定が行われていない状態で、ユーザが電子メールの一覧を表示させる操作を行ったときには、制御系回路１０４は、優先メールと他の通常メールとを区別せずに電子メールの一覧をディスプレイ装置１０３に表示させる。また、このとき、制御系回路１０４は、既読の電子メールも電子メールの一覧の中に含める。
【００３２】
次に、優先表示設定時の動作について説明する。図２は、優先表示設定を行うための表示画面の例を示す説明図である。キー操作部１０１を介してユーザから優先表示設定を行うための表示画面の表示指示が入力されると、制御系回路１０４は、図２（ａ）に例示する画面をディスプレイ装置１０３に表示させる。図２（ａ）に示す例では、「有り」および「無し」という２つの項目が表示される例を示している。図２（ａ）に示す「有り」は、優先表示設定を行うことを意味し、図２（ａ）に示す「無し」は、優先表示設定を行わないことを意味する。制御系回路１０４は、ユーザによるキー操作部１０１の操作に応じて、カーソルを「有り」または「無し」に移動させる。図２（ａ）では、「有り」にカーソルが移動した状態を示している。
【００３３】
「有り」にカーソルが移動した状態で、キー操作部１０１の所定のキーが押下されると、制御系回路１０４は、携帯電話機１０の設定を優先表示設定とする。続いて、制御系回路１０４は、図２（ｂ）に例示する画面をディスプレイ装置１０３に表示させて、特定キーワードの入力を促す。図２（ｂ）に例示する画面では、画面内に、特定キーワードの入力欄２１および確定アイコン２２が含まれている。入力欄２１は、ユーザによって特定キーワードが入力される欄である。図２（ｂ）では、３つの入力欄２１を示していて、特定キーワードを３つまで入力できる場合を例示しているが、特定キーワードの入力欄２１の数は限定されない。確定アイコン２２は、入力欄２１に入力された文字列を特定キーワードとして確定するためのアイコンである。ユーザによるキー操作部１０１の操作によって入力欄２１に文字列が入力された後、キー操作部１０１においてカーソルを確定アイコン２２に移動する操作が行われると、制御系回路１０４は、カーソルを確定アイコン２２に移動させる。その状態で、キー操作部１０１の所定のキーが押下されると、制御系回路１０４は、入力欄２１に入力された文字列を特定キーワードとして決定する。以上で、優先表示設定の動作が完了する。制御系回路１０４は、決定した特定キーワードを、例えば、記憶回路１０５に記憶させる。
【００３４】
図２（ｂ）に示す例では、特定キーワードとして「重要」、「緊急」という文字列が入力されている。ユーザの操作によって、制御系回路１０４がこの２つの文字列を特定キーワードとして決定した場合、制御系回路１０４は、「重要」という特定キーワードと「緊急」という特定キーワードの少なくともいずれか１つを件名、本文、またはメールアドレスに含む電子メールを優先メールと判定する。従って、ユーザは所望の文字列を含む電子メールが優先メールとして判定されるように特定キーワードを選択することができる。
【００３５】
また、図２（ａ）に例示する画面において、「無し」にカーソルが移動した状態で、キー操作部１０１の所定のキーが押下されると、制御系回路１０４は、携帯電話機１０の設定を優先表示設定とせずに、設定処理を終了する。また、このとき、携帯電話機１０の設定が優先表示設定となっていたならば、その優先表示設定を解除して、設定処理を終了する。
【００３６】
次に、電子メール受信後に着信通知の表示態様を判定する動作について説明する。図３は、電子メール受信後における着信通知の表示態様の判定動作の一例を示すフローチャートである。また、図４は、着信通知の表示例を示す説明図である。図４（ａ）は、携帯電話機１０の設定が優先表示設定となっていて、優先メールを受信している場合の着信通知の表示画面の例を示す。図４（ａ）では、封筒の図形のアイコンおよび「優先メール」という文字の組み合わせを着信通知３１として表示する場合を例示している。図４（ｂ）は、優先表示設定となっていない場合、または、優先表示設定となっていても通常メールのみを受信している場合の着信通知の表示画面の例を示す。図４（ｂ）では、封筒の図形のアイコンおよび「新着メール」という文字の組み合わせを着信通知３２として表示する場合を例示している。
【００３７】
制御系回路１０４は、電子メールを受信すると、携帯電話機１０の設定が優先表示設定となっているか否かを判定する（ステップＳ４１）。優先表示設定となっていない場合（ステップＳ４１のＮ）、制御系回路１０４は、通常の電子メールの着信通知３２をディスプレイ装置１０３に表示させる（ステップＳ４４）。すなわち、制御系回路１０４は、通常の電子メールの着信通知３２を含む画面（図４（ｂ）参照。）をディスプレイ装置１０３に表示させる。
【００３８】
ステップＳ４１で優先表示設定となっていると判定した場合（ステップＳ４１のＹ）、制御系回路１０４は、受信した電子メールの件名、本文、またはメールアドレスを解析し、件名、本文、またはメールアドレスのいずれかに、特定キーワードのうちの少なくとも１つと一致する文字列があるか否かを判定する（ステップＳ４２）。
【００３９】
受信した電子メールの件名、本文、またはメールアドレスのいずれにも特定キーワードと一致する文字列がなければ（ステップＳ４２のＮ）、制御系回路１０４は、通常の電子メールの着信通知３２をディスプレイ装置１０３に表示させる（ステップＳ４４）。すなわち、制御系回路１０４は、通常の電子メールの着信通知３２を含む画面（図４（ｂ）参照。）をディスプレイ装置１０３に表示させる。
【００４０】
また、受信した電子メールの件名、本文、またはメールアドレスのいずれかに、特定キーワードのうちの少なくとも１つと一致する文字列があれば（ステップＳ４２のＹ）、制御系回路１０４は、優先メールの着信通知３１をディスプレイ装置１０３に表示させる（ステップＳ４５）。すなわち、制御系回路１０４は、優先メールの着信通知３１を含む画面（図４（ａ）参照。）をディスプレイ装置１０３に表示させる。
【００４１】
なお、ステップＳ４４で表示する画面は、従来の携帯電話機における着信通知の表示画面（例えば、図７（ｃ）参照。）と同様の画面でよい。
【００４２】
次に、電子メールの一覧を表示するときの動作について説明する。図５は、電子メールの一覧表示動作時に表示される画面の例を示す説明図である。図５（ａ）は、受信して記憶回路１０５に記憶されている各電子メールを一覧表示した画面の例を示す。図５（ａ）に例示する画面において、「未」という文字は未読であることを表している。「既」という文字は既読であることを表している。図５に示す例では、電子メールの一覧は、「未」または「既」という文字の後に、受信日、件名が並べて表示される。図５（ａ）に示すように、記憶装置１０５には複数の未読の電子メールや複数の既読の電子メールが記憶されているものとする。また、未読の電子メールの中には件名の中に「重要」という文字列を含む電子メールが存在しているものとする。
【００４３】
図５（ｂ）は、携帯電話機１０の設定が優先表示設定となっているときに、電子メールの一覧表示を行う場合の表示画面の変化の例を示している。なお、以下の説明では、図２（ｂ）に示すように、「重要」、「緊急」という二つの文字列が特定キーワードとして定められているものとする。この場合、「重要」という特定キーワードを件名に含む優先メールを受信しているので、制御系回路１０４は、ステップＳ４１，ステップＳ４２，ステップＳ４５（図３参照。）の動作を行い、優先メールの着信通知３１をディスプレイ装置１０３に表示させて待機する（ステップＳ６１，図５（ｂ）参照。）。
【００４４】
優先メールの着信通知３１のアイコンを選択する指示がキー操作部１０１を介してユーザから入力されると、制御系回路１０４は、優先メールの着信通知３１のアイコンにカーソルを移動する（ステップＳ６２，図５（ｂ）参照。）。
【００４５】
続いて、キー操作部１０１の所定のキーが押下されると、制御系回路１０４は、記憶回路１０５に記憶されている未読の電子メールの中から優先メールを検索する。すなわち、制御系回路１０４は、記憶回路１０５に記憶されている未読の電子メールの中から、特定キーワードの少なくともいずれか１つを件名、本文、またはメールアドレスに含む電子メールを検索する。そして、検索の結果得られた優先メールの一覧をディスプレイ装置１０３に表示させる（ステップＳ６３，図５（ｂ）参照。）。電子メールの一覧を表示する場合、例えば、未読か既読かを示す情報、受信日、件名等を一件ずつ並べて表示すればよい。本例では、件名に特定キーワード「重要」を含む未読のメールがあるので、制御系回路１０４は、そのメールを検索して、ディスプレイ装置１０３に表示させる（ステップＳ６３，図５（ｂ）参照。）。
【００４６】
一覧表示した未読の優先メールのうち一つを選択する操作がユーザによって行われた場合、制御系回路１０４は、選択された優先メールの本文をディスプレイ装置１０３に表示する。
【００４７】
なお、記憶回路１０５に記憶されている未読の電子メールが一件である場合には、その一件の電子メールの件名、本文、またはメールアドレスに特定キーワードの少なくともいずれか１つが含まれているか否かを確認すればよい。そして、含まれているならばその一件の未読の電子メールを一覧表示と同様の態様で表示すればよい。
【００４８】
図５（ｃ）は、優先表示設定となっていないときに、電子メールの一覧表示を行う場合の表示画面の変化の例を示している。優先表示設定となっていない場合、制御系回路１０４は、ステップＳ４１，ステップＳ４４（図３参照。）の動作を行い、通常の電子メールの着信通知３２をディスプレイ装置１０３に表示させて待機する（ステップＳ７１，図５（ｃ）参照。）。
【００４９】
通常の電子メールの着信通知３２のアイコンを選択する指示がキー操作部１０１を介してユーザから入力されると、制御系回路１０４は、通常の電子メールの着信通知３２のアイコンにカーソルを移動する（ステップＳ７２，図５（ｃ）参照。）。
【００５０】
続いて、キー操作部１０１の所定のキーが押下されると、制御系回路１０４は、記憶回路１０５に記憶されている各メールの一覧をディスプレイ装置１０３に表示させる（ステップＳ７３，図５（ｃ）参照。）。電子メールの一覧を表示する場合、例えば、未読か既読かを示す情報、受信日、件名等を一件ずつ並べて表示すればよい。ここでは、優先メールの検索を行わずに、図５（ａ）に示す画面と同様の一覧表示画面を表示する（ステップＳ７３，図５（ｃ）参照。）。
【００５１】
一覧表示した電子メールのうち一つを選択する操作がユーザによって行われた場合、制御系回路１０４は、選択された電子メールの本文をディスプレイ装置１０３に表示する。
【００５２】
本発明によれば、優先表示設定時に特定キーワードを含む電子メールを受信した場合には、制御系手段１０４が、図４（ａ）に例示する優先メールの着信通知３１をディスプレイ装置１０３に表示させる。従って、特定キーワードを含む優先メールを受信していることをユーザに伝え、ユーザが優先メールの着信をすぐに知ることができる。従って、ユーザはすぐに優先メールの着信に気付いて、優先メールをすぐに閲覧することができる。そして、ユーザが優先メールの存在に気が付かないまま優先メールが他の電子メールに埋もれてしまい、ユーザが優先メールをすぐに閲覧できないという状況を防止することができる。
【００５３】
また、優先表示設定時に電子メールの一覧を表示するときには、制御系手段１０４が、特定キーワードを含む電子メールを検索し、検索の結果得られた優先メールの一覧表示を行う。従って、優先メールだけをユーザに提示して、ユーザによる優先メールの閲覧を促進することができる。また、ユーザの利便性がよい。
【００５４】
また、ユーザが電子メールの送信者に特定キーワードを通知しておけば、電子メールの送信者は、ユーザに優先的に通知したい事項（例えば、緊急の通知事項や重要な通知事項）を含む電子メールを送信して、その電子メールが優先的に閲覧されるようにすることができる。
【００５５】
上記の実施の形態では、優先メールの着信通知３１と通常の電子メールの着信通知３２とを文字「優先メール」、「新着メール」で区別し、アイコン（上記の例では封筒の図形）を共通とする場合を示した。優先メールの着信通知３１および通常の電子メールの着信通知３２において、表示する文字を共通化して、アイコンを変えてもよい。例えば、優先メールの着信通知３１と通常の電子メールの着信通知３２とで、表示する文字は「新着メール」等のように共通化し、アイコンの色を変えるようにしてもよい。この場合、優先メールの着信通知３１および通常の電子メールの着信通知３２で、表示される文字が共通なので、携帯電話機１０のユーザのみが優先メールの着信を把握しやすく、第３者にとっては、優先メールの着信を把握しにくくすることができる。
【００５６】
また、電子メールの着信をアイコンや文字で通知するとともに、優先メールを受信しているか否かを、表示する待ち受け画面によって通知してもよい。図６は、優先メールを受信しているか否かを待ち受け画面で通知する場合の表示の例を示す説明図である。図６に示す例では、電子メールの着信を示すアイコンおよび文字は、通常の電子メールのみを受信しているときでも、優先メールを受信しているときでも共通である。なお、図６に示す例では、アイコンとして封筒の図形、文字として「新着メール」を示している。
【００５７】
ステップＳ４４（図３参照。）に移行した場合、制御系回路１０４は、このようなアイコンおよび文字の他に、図６（ａ）に例示する待ち受け画像８１をディスプレイ装置１０３に表示させればよい。また、ステップＳ４５（図３参照。）に移行した場合、制御系回路１０４は、このようなアイコンおよび文字の他に、図６（ｂ）に例示する待ち受け画像８２をディスプレイ装置１０３に表示させればよい。
【００５８】
待ち受け画面８１，８２として、それぞれ予め任意の待ち受け画面を設定しておけばよい。
【００５９】
このように待ち受け画像を用いて優先メールの着信を通知しても、ユーザは、すぐに優先メールの着信に気付いて、優先メールをすぐに閲覧することができる。
【００６０】
なお、電子メール種別判定手段および優先メール検索手段は、制御系回路１０４によって実現される。表示手段は、制御系回路１０４およびディスプレイ装置１０３によって実現される。記憶手段は、記憶回路１０５によって実現される。入力手段は、キー操作部１０１によって実現される。
【産業上の利用可能性】
【００６１】
本発明は、メール機能付きの携帯電話機に適用可能である。
【図面の簡単な説明】
【００６２】
【図１】本発明による携帯電話機の構成例を示すブロック図である。
【図２】優先表示設定を行うための表示画面の例を示す説明図である。
【図３】電子メール受信後における着信通知の表示態様の判定動作の一例を示すフローチャートである。
【図４】着信通知の表示例を示す説明図である。
【図５】電子メールの一覧表示動作時に表示される画面の例を示す説明図である。
【図６】優先メールを受信しているか否かを待ち受け画面で通知する場合の表示の例を示す説明図である。
【図７】従来の携帯電話機における電子メール受信通知時の表示画面の変化の例を示す説明図である。
【符号の説明】
【００６３】
１０  携帯電話機
１０１  キー操作部
１０２  無線系回路
１０３  ディスプレイ装置
１０４  制御系回路
１０５  記憶回路
１０６  音声系回路
１０７  マイクロホン
１０８  スピーカ
【図１】
0004816191.tif 000002
【図２】
0004816191.tif 000003
【図３】
0004816191.tif 000004
【図４】
0004816191.tif 000005
【図５】
0004816191.tif 000006
【図６】
0004816191.tif 000007
【図７】
0004816191.tif 000008